(57)【要約】【課題】  見易く読みやすく、一覧性に優れていると言う紙媒体が有する利点を利用する一方、リアルタイムでの情報提示や情報の拡張性の欠如と言う紙媒体の欠点をなくすことができる情報誌連動メールサービスシステムを提供する。【解決手段】  雇用者端末から送られてきた求人情報に求人情報識別番号を付して求人情報データベースに記録する一方、雇用者端末から送られてきた求人情報識別番号と更新情報とに基づいてその求人情報識別番号に対応する求人情報を書き換えるための情報記録手段と、ユーザ携帯端末から送られてきたメールに記載された宛先アドレスに対応した情報をユーザに提供するためのメールを作成し、当該ユーザ携帯端末へメールするためのメーリング手段と、ユーザ携帯端末からの要求に応じて所望の情報を当該ユーザ携帯端末に提示させるための情報提示手段とを備える。【選択図】  図１
2006099168.tif 000002
【特許請求の範囲】
【請求項１】
雇用者端末から送られてきた求人情報に求人情報識別番号を付して求人情報データベースに記録する一方、雇用者端末から送られてきた求人情報識別番号と更新情報とに基づいてその求人情報識別番号に対応する求人情報を書き換えるための情報記録手段と、
ユーザ携帯端末から送られてきたメールに記載された宛先アドレスに対応した情報をユーザに提供するためのメールを作成し、当該ユーザ携帯端末へメールするためのメーリング手段と、
ユーザ携帯端末からの要求に応じて所望の情報を当該ユーザ携帯端末に提示させるための情報提示手段と
を備える、情報誌連動メールサービスシステム。
【請求項２】
前記メーリング手段は、ユーザ携帯端末から空メールが送られてきたとき、照会メールを作成するための照会メールアドレスリンクが記載された照会アドレス通知メール或いは検索メールを作成するための検索メールアドレスリンクが記載された検索アドレス通知メールをその空メールの宛先アドレスに対応して作成し、当該ユーザ携帯端末へメールする、請求項１に記載の情報誌連動メールサービスシステム。
【請求項３】
前記メーリング手段は、ユーザ携帯端末から照会メールが送られてきたとき、その照会メールに記載された照会番号に対応する求人情報を求人情報データベースから抽出して応募情報メールを作成し、当該ユーザ携帯端末へメールする、請求項１または２に記載の情報誌連動メールサービスシステム。
【請求項４】
前記メーリング手段は、ユーザ携帯端末から検索メールが送られてきたとき、その検索メールに記載されたキーワードに対応する求人情報を求人情報データベースから抽出して検索回答メールを作成し、当該ユーザ携帯端末へメールする、請求項１、２または３に記載の情報誌連動メールサービスシステム。
【請求項５】
求人情報データベースに記録された求人情報を抽出して各求人情報に照会番号を付し、その照会番号をそれぞれの求人情報にリンク付けて求人情報データベースに記録する一方、抽出した求人情報とそれに付された照会番号とを１つの求人掲載内容として編集するための編集手段を更に備える、請求項１〜４のいずれか一項に記載の情報誌連動メールサービスシステム。
【発明の詳細な説明】
【技術分野】
【０００１】
本発明は、情報誌を介して最新の求人情報を提供するためのメールサービスシステムに関するものである。
【背景技術】
【０００２】
昨今、情報を伝達する手段として、廉価な情報誌やフリーペーパーと称される無料の情報誌が種々の分野で数多く用いられている。このような情報誌、すなわち紙媒体は、ウェブ媒体を用いた情報伝達に比べ、見易く読みやすく、一覧性に優れているという利点を有する反面、定期的な発行日における情報でしかなく、リアルタイムでの情報を提示することができず、また、目的の情報を探し出すための検索機能やより詳細な情報或いはそれに関連した情報を提示する等の情報の拡張性がないことが弱点である。
【０００３】
リアルタイムでの情報提示や情報の拡張性に対する欠点を除去するために、情報誌の記事中に二次元バーコードを掲載し、バーコードリーダ付き携帯端末で読み取らせることにより、所定のウェブサイトに接続してより詳細な情報或いはそれに関連した情報を提示するサービスが実施されている（例えば、特許文献１参照）。しかしながら、二次元バーコードを用いる方法は、ユーザがバーコードリーダ付き携帯端末を所有していることが前提であるため、誰もが利用することができるサービスシステムではなかった。加えて、従来のシステムでは、ユーザが自分の要望に応じた求人情報を検索する機能を有しておらず、単一の情報を提示するものでしかなかった。
【特許文献１】特開２００３−２４４２８７号公報
【発明の開示】
【発明が解決しようとする課題】
【０００４】
本発明は、見易く読みやすく、一覧性に優れていると言う紙媒体が有する利点を利用する一方、リアルタイムでの情報提示や情報の拡張性の欠如と言う紙媒体の欠点をなくすことができると共に、従来システムでは提供されていなかった情報検索機能をも提供でき、更に、バーコードリーダ付き携帯端末のような特殊な機能を備えていない端末であっても利用できる情報誌連動メールサービスシステムを提供しようとするものである。
【課題を解決するための手段】
【０００５】
本発明による情報誌連動メールサービスシステムは、雇用者端末から送られてきた求人情報に求人情報識別番号を付して求人情報データベースに記録する一方、雇用者端末から送られてきた求人情報識別番号と更新情報とに基づいてその求人情報識別番号に対応する求人情報を書き換えるための情報記録手段と、ユーザ携帯端末から送られてきたメールに記載された宛先アドレスに対応した情報をユーザに提供するためのメールを作成し、当該ユーザ携帯端末へメールするためのメーリング手段と、ユーザ携帯端末からの要求に応じて所望の情報を当該ユーザ携帯端末に提示させるための情報提示手段とを備えている。
【０００６】
本発明におけるメーリング手段は、ユーザ携帯端末から空メールが送られてきたとき、照会メールを作成するための照会メールアドレスリンクが記載された照会アドレス通知メール或いは検索メールを作成するための検索メールアドレスリンクが記載された検索アドレス通知メールをその空メールの宛先アドレスに対応して作成し、当該ユーザ携帯端末へメールするように構成できる。また、メーリング手段は、ユーザ携帯端末から照会メールが送られてきたとき、その照会メールに記載された照会番号に対応する求人情報を求人情報データベースから抽出して応募情報メールを作成し、当該ユーザ携帯端末へメールするようにも構成できる。更に、メーリング手段は、ユーザ携帯端末から検索メールが送られてきたとき、その検索メールに記載されたキーワードに対応する求人情報を求人情報データベースから抽出して検索回答メールを作成し、当該ユーザ携帯端末へメールするように構成してもよい。
【０００７】
本発明による情報誌連動メールサービスシステムはまた、求人情報データベースに記録された求人情報を抽出して各求人情報に照会番号を付し、その照会番号をそれぞれの求人情報にリンク付けて求人情報データベースに記録する一方、抽出した求人情報とそれに付された照会番号とを１つの求人掲載内容として編集するための編集手段を更に備えることもできる。
【０００８】
ユーザは、見易く読みやすく、一覧性に優れた情報誌上で所望の求人情報を探し、そこに記載されているメールアドレスを入力してユーザ携帯端末から本システムのシステムサーバへメールを送る。本システムのシステムサーバは受信したメールの宛先アドレスからそのメールが求人情報の提示を求める照会メールか、求人情報の検索を求める検索メールか、照会アドレス通知メールを要求する空メールか、検索アドレス通知メールを要求する空メールかを判別し、それに対応したメールを作成してユーザ携帯端末に返信する。
【０００９】
メーリング手段は、本文中に照会番号が記載された照会メールを受信すると、その照会番号に対応する求人情報を求人情報データベースから抽出して応募情報メールを作成し、ユーザ携帯端末へ返信する。応募情報メールには、基本的に、勤務地を地図上で表示させるための地図表示リンク、現在の応募状況、フォーンツー（PHONE-TO；商標）のような自動ダイアル機能を作動させて電話で応募するための自動ダイアルリンク、ウェブ上で応募するためのウェブ応募リンク、より詳細な情報を提示できるウェブサイトにアクセスするためのウェブサイトリンクが記載される。この他に、求人情報を再確認するための求人情報表示リンク、同条件の求人情報を検索するための求人情報検索リンク、応募時の注意事項を表示したページを見るためのＱ＆Ａ表示リンク等を記載してもよい。ここにおいて、各リンクは、それぞれのＵＲＬや電話番号等を直截的に記載してもリンクボタンの形態で提示してもよい。ユーザは返信されてきた応募情報メールに記載されたリンクをクリックすることにより応募や必要な情報の入手を行うことができる。情報提示手段はユーザがクリックしたリンクに応じて所要の情報をユーザ携帯端末に提示させる。
【００１０】
本文中にキーワードが記載された検索メールを受信したとき、メーリング手段は、そのキーワードを有する求人情報を求人情報データベースから抽出して検索回答メールを作成し、ユーザ携帯端末へ返信する。本文中にキーワードが記載されていない検索メールを受信したとき、メーリング手段は、どのカテゴリに関する求人情報の検索依頼かを受信したメールの宛先アドレスから判別し、そのカテゴリに属する求人情報を求人情報データベースから抽出して検索回答メールを作成し、ユーザ携帯端末へ返信する。
【００１１】
照会アドレス通知メールまたは検索アドレス通知メールを要求する空メールを受信したとき、メーリング手段は、照会メールまたは検索メールを作成するための照会メールアドレスリンクまたは検索メールアドレスリンクを記載したアドレス通知メールをユーザ携帯端末へメールする。
【００１２】
また、本発明の情報誌連動メールサービスシステムは、求人情報データベースに記録された求人情報を抽出して各求人情報に照会番号を付し、その照会番号をそれぞれの求人情報にリンク付けて求人情報データベースに記録する一方、抽出した求人情報とそれに付された照会番号とを１つの求人掲載内容とした情報誌を編集するための編集手段を更に備えることもできる。
【発明の効果】
【００１３】
本発明によれば、情報記録手段によって求人情報データベースに記録された求人情報を雇用者が随意に書き換えることができるため、常に最新の求人情報をユーザに提示することができる。求人情報を情報誌で探し、所望の求人情報の照会番号をメールするだけで、電子的情報の送受に必要なツールをメーリング手段が返信してくるため、紙媒体が有する、見易く読みやすく一覧性に優れている利点を利用すると共に、リアルタイムでの情報入手や情報拡張性や求人情報の検索に必要なツールを情報提示手段が送信してくるため、簡単かつ確実に利用でき、しかも、バーコードリーダ付き携帯端末のような特殊な機能を備えていない端末でも利用することができる。
【００１４】
また、メーリング手段は、空メールを送ることにより照会または検索メールを送信するのに必要なツールを返信するため、照会または検索の都度、メールアドレスを打ち込む必要がなく、より簡単に求人情報の照会または検索を行うことができる。加えて、編集手段は、情報誌を作成するのに必要な情報を求人情報データベースから抽出するため、編集時点での最新の情報を掲載することができる、しかも、掲載する求人情報とそれに付された照会番号とをリンク付けて求人情報データベースに記録するため、情報誌における照会番号と求人情報との関係にズレが生じる虞がない。
【発明を実施するための最良の形態】
【００１５】
図１は本発明の実施例による情報誌連動メールサービスシステムを示す図で、システムサーバ１はインターネットや公衆通信回線等の通信ネットＮを介して雇用者端末２およびユーザ携帯端末３にそれぞれ接続される。システムサーバ１は、求人情報データベース１１と、雇用者端末２から受信したデータを求人情報データベース１１に記録または書換えを行うための情報記録手段１２と、ユーザ携帯端末から受信したメールを解析して所定のメールを作成、送信するためのメーリング手段１３と、ユーザ携帯端末３に所望の情報を提示させるための情報提示手段１４と、求人情報データベース１１から所定のデータを抽出して情報誌を編集するための編集手段１５とを備えている。
【００１６】
雇用者は、雇用者端末２からシステムサーバ１に接続して求人情報Ｄ１を送信する。求人情報Ｄ１を受信すると、情報記録手段１２は、送られてきた求人情報Ｄ１に求人情報識別番号Ｒ１を付して求人情報データベース１１に記録する。求人情報データベース１１への記録が終了すると、情報記録手段１２は、その求人情報に付された求人情報識別番号を雇用者２へ通知する。求人情報Ｄ１は、情報誌に掲載するのに必要な情報、例えば、雇用者名、勤務内容、勤務地、勤務時間、給与、募集期間、応募資格等の雇用および応募条件等である。情報記録手段１２はまた、受信した求人情報Ｄ１を解析し、その求人情報Ｄ１に情報ターム、例えば、勤務内容の職種、勤務地の地域、募集状況等を付与して求人情報データベース１１に記録する。
【００１７】
求人情報データベース１１に記録された求人情報Ｄ１の情報に変更（特に、募集状況の変更）が生じたとき、雇用者は、変更内容を記載した更新情報Ｄ２を変更が生じた求人情報の求人情報識別番号Ｒ１と共にシステムサーバ１に送信する。情報記録手段１２は、送られてきた求人情報識別番号Ｒ１に対応する求人情報Ｄ１を求人情報データベース１１から抽出し、更新情報Ｄ２に基づいて求人情報Ｄ１を書き換え、それにより、求人情報データベース１１に記録された求人情報Ｄ１を最新の情報に更新する。
【００１８】
情報誌の発行時期になると、編集手段１５は、求人情報データベース１１から情報誌に掲載すべき求人情報Ｄ１を抽出し、各求人情報Ｄ１に照会番号Ｒ２を付与する一方、照会番号Ｒ２を求人情報Ｄ１にリンク付けて求人情報データベース１１に記録する。この照会番号Ｒ２は求人情報識別番号Ｒ１と同じにすることもできる。抽出した求人情報Ｄ１とその照会番号Ｒ２とを１つの求人掲載内容として編集し、情報誌を作成してユーザに販売または無料配布する。
【００１９】
ユーザは、情報誌に記された照会または検索メール通知アドレス宛にユーザ携帯端末３から空メール（本文になにも記載していないメール）Ｍ１を送信する。空メールＭ１を受信すると、メーリング手段１３は、そのメールの宛先アドレスを判別して照会または検索アドレス通知メールＭ２を作成し、そのユーザ携帯端末３へ返信する。照会または検索アドレス通知メールＭ２は、照会または検索メールをユーザが作成するための照会または検索メールアドレスリンクが記載されており、ユーザは、この照会または検索メールアドレスリンクをクリックするだけで照会または検索メールアドレスが記載されたメールが用意される。このため、ユーザはこのメールの本文に照会番号またはキーワードを入力するだけで所望の照会または検索メールＭ３またはＭ４を作成することができる。
【００２０】
ユーザは、情報誌の求人掲載内容を見て所望の求人を探し、そこに付された照会番号Ｒ２を記載した照会メールＭ３を作成し、ユーザ携帯端末３から照会メールアドレス宛に送信する。メーリング手段１３は、照会メールＭ３を受信すると、そこに記載された照会番号Ｒ２に対応する求人情報Ｄ１を抽出して応募情報メールＭ４を作成し、当該ユーザ携帯端末へ返信する。応募情報メールＭ４には、基本的に、現在の応募状況、勤務地を地図上で表示させるための地図表示リンク、フォーンツー（PHONE-TO；商標）のような自動ダイアル機能を作動させて電話で応募するための自動ダイアルリンク、ウェブ上で応募するためのウェブ応募リンク、より詳細な情報を提示できるウェブサイトにアクセスするためのウェブサイトリンクが記載される。この他に、求人情報を再確認するための求人情報表示リンク、同条件の求人情報を検索するための求人情報検索リンク、応募時の注意事項を表示したページを見るためのＱ＆Ａ表示リンク等を記載することもできる。ここにおいて、各リンクの表示形態は、ＵＲＬや電話番号等の直截的な記載および／またはリンクボタンであってもよいことは当業者にとって容易に理解されよう。
【００２１】
ユーザが、返信されてきた応募情報メールＭ４に記載されたリンクをクリックすると、情報提示手段１２は、ユーザがクリックしたリンクに応じて所要の情報をユーザ携帯端末３に提示させ、応募に必要な種々の情報をユーザに提示する。各リンクをクリックすることで表示される種々の情報のダウンロード方法については、本発明を直接的に構成するものではないのでその詳細についての説明は割愛するが、周知のウェブページの提示方法や自動ダイアル方法と同じである。しかし、ユーザが求人情報検索リンクをクリックした場合、情報提示手段１４は、応募情報メールＭ４の作成に用いられた照会番号Ｒ２の求人情報Ｄ１と同じ情報タームを有する求人情報を求人情報データベース１１から抽出し、ユーザ携帯端末３へ提示する。
【００２２】
ユーザはまた、情報誌の求人掲載内容を見て所望の求人を探し、そこに付された検索メールアドレス宛にユーザ携帯端末３から検索メールＭ５を送信する。メーリング手段１３は、そのメール検索の宛先アドレスからユーザが所望する求人情報のカテゴリを判別すると共に、その本文欄にキーワードが記載されているか否かを判別する。キーワードが記載されている場合、そのキーワードを有する求人情報Ｄ１を求人情報データベース１１から抽出して検索回答メールＭ６を作成し、ユーザ携帯端末３へ返信し、キーワードが記載されていない場合、前記のカテゴリに属する求人情報Ｄ１を求人情報データベース１１から抽出して検索回答メールＭ６を作成し、ユーザ携帯端末３へ返信する。ここにおいて、検索によりヒットした求人情報の数が多いとき、検索回答メールＭ６にはいくつかの求人情報のみを記載し、それ以外の求人情報については検索回答メールＭ６に記載されたリンクボタンをクリックすることにより情報提示手段１４を介してユーザ携帯端末３に提示するのが好ましい。
【産業上の利用可能性】
【００２３】
本発明は、旅館の宿泊情報、ツアーの開催情報、各種の売出し情報等々、情報誌で宣伝し、それに関する情報が情報誌発行後に変化する要因を有するものである場合に利用できる。
【図面の簡単な説明】
【００２４】
【図１】本発明の実施例による情報誌連動メールサービスシステムの概要を示す図である。
【符号の説明】
【００２５】
１    システムサーバ                  ２    雇用者端末
３    ユーザ携帯端末
１１    求人情報データベース          １２    情報記録手段
１３    メーリング手段                １４    情報提示手段
１５    編集手段
Ｄ１    求人情報                      Ｄ２    更新情報
Ｍ１    空メール                      Ｍ２    検索アドレス通知メール
Ｍ３    照会メール                    Ｍ４    応募情報メール
Ｍ５    検索メール                    Ｍ６    検索回答メール
Ｎ    通信ネット
Ｒ１    求人情報識別番号              Ｒ２    照会番号
【図１】
2006099168.tif 000003